(57)【要約】【課題】  専用ディスプレイや分配器を必要とせず、画像表示制御装置で複数台の汎用ディスプレイを独立に表示制御できるようにする。【解決手段】  入力手段２１１，２２１から入力手段接続インターフェイス１２１，１２２を介して入力された入力情報に応じて対応入力情報処理部１６１，１６２により対応画像デ−タ記憶部１５１，１５２の保存画像デ−タが書き換えられ、この書き換えられた画像デ−タが当該画像デ−タ記憶部から対応ディスプレイ接続インターフェイス１１１，１１２を介して対応ディスプレイ２１，２２に出力され、当該対応ディスプレイ２１，２２が前記書き換えられた画像デ−タによって画面表示する画像表示システムとした。【選択図】図１
2006154206.tif 000002
【特許請求の範囲】
【請求項１】
複数台のディスプレイ、及び
各ディスプレイ毎に設けられ対応するディスプレイに接続されたディスプレイ接続インターフェイスと、各ディスプレイの入力手段毎に設けられ対応する入力手段に接続された入力手段接続インターフェイスと、前記入力手段から前記入力手段接続インターフェイスを介して入力された入力情報が入力される入力情報処理部と、各ディスプレイ毎に設けられ対応するディスプレイに表示する画像デ−タを保存する画像デ−タ記憶部とを有する画像表示制御装置、
を備え、前記入力手段から前記入力手段接続インターフェイスを介して入力された入力情報に応じて対応入力情報処理部により対応画像デ−タ記憶部の保存画像デ−タが書き換えられ、この書き換えられた画像デ−タが当該画像デ−タ記憶部から対応ディスプレイ接続インターフェイスを介して対応ディスプレイに出力され、当該対応ディスプレイが前記書き換えられた画像デ−タによって画面表示する画像表示システム。
【請求項２】
請求項１に記載の画像表示システムにおいて、前記入力手段がマウスであることを特徴とする画像表示システム。
【請求項３】
請求項１に記載の画像表示システムにおいて、前記入力手段がファンクションキーボードであることを特徴とする画像表示システム。
【請求項４】
請求項１〜３の何れか一に記載の画像表示システムにおいて、
前記入力情報処理部が、前記入力手段接続インターフェイスを介して入力された入力情報から対応ディスプレイを識別するディスプレイ識別機能を有し、
このディスプレイ識別機能により、前記入力手段から前記入力手段接続インターフェイスを介して入力された入力情報に応じて前記入力情報処理部によって識別されたディスプレイの対応画像デ−タ記憶部の保存画像デ−タが書き換えられる
ことを特徴とする画像表示システム。
【請求項５】
請求項１〜４の何れか一に記載の画像表示システムにおいて、前記画像表示制御装置が、前記入力手段から前記入力手段接続インターフェイスを介して入力された入力情報のうち外部機器操作信号を前記入力情報処理部から得て外部へ出力する出力インターフェイスを有していることを特徴とする画像表示システム。
【請求項６】
各ディスプレイ毎に設けられ対応するディスプレイに接続されたディスプレイ接続インターフェイスと、
各ディスプレイの入力手段毎に設けられ対応する入力手段に接続された入力手段接続インターフェイスと、
前記入力手段から前記入力手段接続インターフェイスを介して入力された入力情報が入力される入力情報処理部と、
各ディスプレイ毎に設けられ対応するディスプレイに表示する画像デ−タを保存する画像デ−タ記憶部と、
を備え、前記入力手段から前記入力手段接続インターフェイスを介して入力された入力情報に応じて対応入力情報処理部により対応画像デ−タ記憶部の保存画像デ−タが書き換えられ、この書き換えられた画像デ−タが当該画像デ−タ記憶部から対応ディスプレイ接続インターフェイスを介して対応ディスプレイに出力する画像表示制御装置。
【発明の詳細な説明】
【技術分野】
【０００１】
この発明は、例えば原子力発電プラント等の産業用プラント等に使用される画像表示システムおよび当該画像表示システムに使用される画像表示制御装置に関するものであり、特に画像表示制御装置で複数台のディスプレイを表示制御する画像表示システムおよび当該画像表示システムに使用される画像表示制御装置に関するものである。
【背景技術】
【０００２】
従来、画像表示制御装置で複数台のディスプレイを制御する画像表示システムは、例えば、特許文献１に示されるように、特別にＩＤ識別回路を持たせた専用ディスプレイをカスケード接続し、１台の画像表示制御装置の出力信号をＩＤ情報により識別し、複数台の専用ディスプレイに選択的に表示するものであった。
【０００３】
また、例えば、特許文献２や特許文献４に示されるように、入力手段を有する複数台の表示装置をそれぞれ分配器を介して１台の制御装置に接続し、入力手段の操作により選択された画像データを表示するものであった。
【０００４】
また、例えば、特許文献３に示されるように、複数の画像記憶手段を備えた表示制御装置に複数台のディスプレイを接続し、表示制御装置に備えた唯一の入力手段により、画像記憶手段に蓄えた画像データとディスプレイを対応させるものであった。
【０００５】
【特許文献１】特開平９−２７４４７５号公報（図４及び識別番号００１６）
【特許文献２】特開２０００−２３１２８号公報（図１及び識別番号００１３）
【特許文献３】特開平１０−２４２０９号公報（図１及び識別番号０００９）
【特許文献４】特開平１１−３８９５０号公報（図１６及び識別番号００７２）
【発明の開示】
【発明が解決しようとする課題】
【０００６】
特許文献１に示された画像表示システムにおいては、ディスプレイには特別にＩＤ識別回路を設けた専用ディスプレイを用いる必要がある。また、特許文献２や特許文献４に示された画像表示システムにおいては、ディスプレイを接続するには分配器を併設する必要がある。また、特許文献３に示された画像表示制御システムにおいては、ディスプレイ間で表示を切り替えることは可能であるが、初期設定で画像記憶手段に画像を設定する必要があり、別の画像を表示したい場合は、再度初期設定により、画像記憶手段に記憶させなおす必要がある。
【０００７】
この発明は上記のような課題を解決するためになされたものであり、専用ディスプレイや分配器を必要とせず、画像表示制御装置で複数台の汎用ディスプレイを独立に表示制御できるようにすることを目的とする。
【課題を解決するための手段】
【０００８】
この発明に係る画像表示システムは、複数台のディスプレイ、及び各ディスプレイ毎に設けられ対応するディスプレイに接続されたディスプレイ接続インターフェイスと各ディスプレイの入力手段毎に設けられ対応する入力手段に接続された入力手段接続インターフェイスと前記入力手段から前記入力手段接続インターフェイスを介して入力された入力情報が入力される入力情報処理部と各ディスプレイ毎に設けられ対応するディスプレイに表示する画像デ−タを保存する画像デ−タ記憶部とを有する画像表示制御装置を備え、前記入力手段から前記入力手段接続インターフェイスを介して入力された入力情報に応じて対応入力情報処理部により対応画像デ−タ記憶部の保存画像デ−タが書き換えられ、この書き換えられた画像デ−タが当該画像デ−タ記憶部から対応ディスプレイ接続インターフェイスを介して対応ディスプレイに出力され、当該対応ディスプレイが前記書き換えられた画像デ−タによって画面表示するものである。
【発明の効果】
【０００９】
この発明は、複数台のディスプレイ、及び各ディスプレイ毎に設けられ対応するディスプレイに接続されたディスプレイ接続インターフェイスと各ディスプレイの入力手段毎に設けられ対応する入力手段に接続された入力手段接続インターフェイスと前記入力手段から前記入力手段接続インターフェイスを介して入力された入力情報が入力される入力情報処理部と各ディスプレイ毎に設けられ対応するディスプレイに表示する画像デ−タを保存する画像デ−タ記憶部とを有する画像表示制御装置を備え、前記入力手段から前記入力手段接続インターフェイスを介して入力された入力情報に応じて対応入力情報処理部により対応画像デ−タ記憶部の保存画像デ−タが書き換えられ、この書き換えられた画像デ−タが当該画像デ−タ記憶部から対応ディスプレイ接続インターフェイスを介して対応ディスプレイに出力され、当該対応ディスプレイが前記書き換えられた画像デ−タによって画面表示するので、専用ディスプレイや分配器を用いなくても、画像表示制御装置で複数台の汎用ディスプレイを独立に表示制御できる効果がある。
【発明を実施するための最良の形態】
【００１０】
実施の形態１．
以下この発明の実施の形態１を図１及び図２により説明する。図１は画像表示システムのシステム構成の一例をブロック図化して示す図で、１台の画像表示制御装置で２台のディスプレイを制御する場合を例示してある。図２は図１の動作説明をするための動作フロ−の一例を示す図である。
【００１１】
図１において、画像表示システムは、画像表示制御装置１と、入力手段であるタッチパネル２１１が設けられたタッチパネル付きのディスプレイ２１と、入力手段であるタッチパネル２２１が設けられたタッチパネル付きのディスプレイ２２とで構成されている。
【００１２】
前記画像表示制御装置１は、工業用計算機が使用され画面サ−バ機能およびＸサ−バ機能を有しており、前記ディスプレイ２１に対応するディスプレイ接続インターフェイス１１１と、前記ディスプレイ２２に対応するディスプレイ接続インターフェイス１１２と、前記ディスプレイ２１の前記タッチパネル２１１に対応するタッチパネル接続インターフェイス即ち入力手段接続インターフェイス１２１と、前記ディスプレイ２２の前記タッチパネル２２１に対応するタッチパネル接続インターフェイス即ち入力手段接続インターフェイス１２２と、前記ディスプレイ２１に対応する画面表示処理部１３１と、前記ディスプレイ２２に対応する画面表示処理部１３２と、前記ディスプレイ２１の前記タッチパネル２１１に対応する入力情報受信部１４１と、前記ディスプレイ２２の前記タッチパネル２２１に対応する入力情報受信部１４２と、前記ディスプレイ２１に対応する画像データ記憶部１５１と、前記ディスプレイ２２に対応する画像データ記憶部１５２と、前記ディスプレイ２１の前記タッチパネル２１１に対応する入力情報処理部１６１と、前記ディスプレイ２２の前記タッチパネル２２１に対応する入力情報処理部１６２と、前記ディスプレイ２１，２２に共用の画像データ群１７とを有している。
【００１３】
前記画像表示制御装置１には、前記タッチパネル付きディスプレイ２１を前記ディスプレイ接続インターフェイス１１１を介して直接接続することができ、前記タッチパネル付きディスプレイ２２を前記ディスプレイ接続インターフェイス１１２を介して直接接続することができる。
【００１４】
前記ディスプレイ接続インターフェイス１１１，１１２および入力手段接続インターフェイス１２１，１２２にはそれぞれポート番号が割り当てられており、ポート番号の等しいディスプレイ接続インターフェイス１１１と入力手段接続インターフェイス１２１とが対応し、同様にディスプレイ接続インターフェイス１１２と入力手段接続インターフェイス１２２とが対応するようにしてある。
【００１５】
前記画面表示処理部１３１は前記タッチパネル付きのディスプレイ２１の表示を制御する部分であり、前記ディスプレイ接続インターフェイス１１１を介して前記タッチパネル付きのディスプレイ２１に画像信号Ｓｇ１を供給する。同様に、前記画面表示処理部１３２は前記タッチパネル付きのディスプレイ２２の表示を制御する部分であり、前記ディスプレイ接続インターフェイス１１２を介して前記タッチパネル付きのディスプレイ２２に画像信号Ｓｇ２を供給する。
【００１６】
前記画像データ記憶部１５１は前記タッチパネル付きのディスプレイ２１に表示する画像データを格納するメモリである。同様に、前記画像データ記憶部１５２は前記タッチパネル付きのディスプレイ２２に表示する画像データを格納するメモリである。
【００１７】
前記画像データ群１７は、前記ディスプレイ２１，２２に表示する各種画面の画像データの集合体であり、例えば、冷却水系統の画面、補助蒸気系統の画面、主給水系統の画面、等々の予め準備された画像データ群である。
【００１８】
前記入力情報受信部１４１は、前記入力手段接続インターフェイス１２１を介して前記タッチパネル２１１から入力した入力信号Ｓｉ１を受信する部分であり、前記入力情報処理部１６１はその入力信号Ｓｉ１を処理する部分である。同様に、前記入力情報受信部１４２は、前記入力手段接続インターフェイス１２２を介して前記タッチパネル２２１から入力した入力信号Ｓｉ２を受信する部分であり、前記入力情報処理部１６２はその入力信号Ｓｉ１を処理する部分である。
【００１９】
前記画面表示処理部１３１、前記入力情報受信部１４１、前記画像データ記憶部１５１、および前記入力情報処理部１６１は、タッチパネル付きのディスプレイ２１と１対１に対応する。同様に、前記画面表示処理部１３２、前記入力情報受信部１４２、前記画像データ記憶部１５２、および前記入力情報処理部１６２は、タッチパネル付きのディスプレイ２２と１対１に対応する。
【００２０】
また、前記ディスプレイ接続インターフェイス１１１，１１２と、前記画面表示処理部１３１，１３２と、前記画像データ記憶部１５１，１５２と、前記画像デ−タ群１７とは、画面サ−バの機能を司る要素であり、前記入力手段接続インターフェイス１２１，１２２と、前記入力情報受信部１４１，１４２と、前記入力情報処理部１６１，１６２と、前記画面表示処理部１３１，１３２とは、Ｘサ−バの機能を司る要素である。
【００２１】
次に、図１の画像表示システムおよび画像表示制御装置の動作を、図２によって説明する。
【００２２】
先ず、画像表示制御装置１に電源を入れ、立ち上がると（ステップＳＴ１）、タッチパネル付のディスプレイ２１，２２に初期画面を表示し（ステップＳＴ３）、タッチパネル２１１，２２１からの入力待ち状態となる（ステップＳＴ４）。
【００２３】
次に、前記入力待ち状態において、例えば、タッチパネル２１１からの入力があると、その入力信号Ｓｉ１は入力情報受信部１４１で受信され（ステップＳＴ５）、入力情報受信部１４１において例えば座標情報（位置情報）などに変換して入力情報処理部１６１に情報を引き継ぐ（ステップＳＴ６）。
【００２４】
入力情報処理部１６１では画像データ記憶部１５１に記憶している画面表示情報と入力情報受信部１４１より伝送された入力情報とを照合し、タッチパネル付きのディスプレイ２１のタッチパネル２１１から入力された情報を特定する。つまり、タッチパネル付きディスプレイ２１に表示されている画面上のどの部分がタッチパネル２１１で入力されたか特定する。
【００２５】
特定した入力情報を基に、画像データ群１７から画像データを選択し、画像データ記憶部１５１に保存されている画像デ−タを、当該選択された画像デ−タに書き換える（ステップＳＴ７）。画面表示処理部１３１は、常に、画像データ記憶部１５１に現在記憶されているデータを、対応するタッチパネル付きのディスプレイ２１に表示する。
【００２６】
同様に、前記入力待ち状態において、例えば、タッチパネル２２１からの入力があると、その入力信号Ｓｉ２は入力情報受信部１４２で受信され（ステップＳＴ５）、入力情報受信部１４２において例えば座標情報（位置情報）などに変換して入力情報処理部１６２に情報を引き継ぐ（ステップＳＴ６）。入力情報処理部１６２では画像データ記憶部１５２に記憶している画面表示情報と入力情報受信部１４２より伝送された入力情報とを照合し、タッチパネル付きのディスプレイ２２のタッチパネル２２１から入力された情報を特定する。つまり、タッチパネル付きディスプレイ２２に表示されている画面上のどの部分がタッチパネル２２１で入力されたか特定する。特定した入力情報を基に、画像データ群１７から画像データを選択し、画像データ記憶部１５２に保存されている画像デ−タを、当該選択された画像デ−タに書き換える（ステップＳＴ７）。画面表示処理部１３２は、常に、画像データ記憶部１５２に現在記憶されているデータを、対応するタッチパネル付きのディスプレイ２２に表示する。
【００２７】
前述の構成および動作の説明から分かるように、前述の構成および機能とすることにより、複数台のタッチパネル付きのディスプレイ２１，２２に、前述の特許文献１や特許文献２，４のような専用ディスプレイや分配器を用いることなく、また、表示機能付端末装置を用いることなく、汎用のディスプレイを使って、複数の汎用ディスプレイを、独立に表示制御することが可能となる。
【００２８】
即ち、複数台のディスプレイ２１，２２、及び各ディスプレイ毎に設けられ対応するディスプレイに接続されたディスプレイ接続インターフェイス１１１，１１２と、各ディスプレイの入力手段２１１，２２１毎に設けられ対応する入力手段に接続された入力手段接続インターフェイス１２１，１２２と、前記入力手段から前記入力手段接続インターフェイスを介して入力された入力情報が入力される入力情報処理部１６１，１６２と、各ディスプレイ毎に設けられ対応するディスプレイに表示する画像デ−タを保存する画像デ−タ記憶部１５１，１５２とを有する画像表示制御装置１、を備え、前記入力手段２１１，２２１から前記入力手段接続インターフェイス１２１，１２２を介して入力された入力情報に応じて対応入力情報処理部１６１，１６２により対応画像デ−タ記憶部１５１，１５２の保存画像デ−タが書き換えられ、この書き換えられた画像デ−タが当該画像デ−タ記憶部から対応ディスプレイ接続インターフェイス１１１，１１２を介して対応ディスプレイ２１，２２に出力され、当該対応ディスプレイ２１，２２が前記書き換えられた画像デ−タによって画面表示する画像表示システムとしたので、複数台のタッチパネル付きのディスプレイ２１，２２に、前述の特許文献１や特許文献２，４のような専用ディスプレイや分配器を用いることなく、また、表示機能付端末装置を用いることなく、汎用のディスプレイを使って、複数の汎用ディスプレイを、独立に表示制御することが可能となる。
【００２９】
また、各ディスプレイ２１，２２毎に設けられ対応するディスプレイに接続されたディスプレイ接続インターフェイス１１１，１１２と、各ディスプレイ２１，２２の入力手段２１１，２２１毎に設けられ対応する入力手段に接続された入力手段接続インターフェイス１２１，１２２と、前記入力手段２１１，２２１から前記入力手段接続インターフェイス１２１，１２２を介して入力された入力情報が入力される入力情報処理部１６１，１６２と、各ディスプレイ２１，２２毎に設けられ対応するディスプレイに表示する画像デ−タを保存する画像デ−タ記憶部１５１，１５２と、を備え、前記入力手段２１１，２２１から前記入力手段接続インターフェイス１２１，１２２を介して入力された入力情報に応じて対応入力情報処理部１６１，１６２により対応画像デ−タ記憶部１５１，１５２の保存画像デ−タが書き換えられ、この書き換えられた画像デ−タが当該画像デ−タ記憶部１５１，１５２から対応ディスプレイ接続インターフェイス１１１，１１２を介して対応ディスプレイ２１，２２に出力する画像表示制御装置としたので、複数台のタッチパネル付きのディスプレイ２１，２２に、前述の特許文献１や特許文献２，４のような専用ディスプレイや分配器を用いることなく、また、表示機能付端末装置を用いることなく、汎用のディスプレイを使って、複数の汎用ディスプレイを、独立に表示制御することが可能となる。
【００３０】
なお、この発明の実施の形態１においては、前述のように、特定した入力情報を基に、前記画像データ群１７から画像データを選択し、前記画像データ記憶部１５１，１５２に保存されている画像デ−タを、当該選択された画像デ−タに書き換え、前記画面表示処理部１３１，１３２が、常に、前記画像データ記憶部１５１，１５２に現在記憶されているデータを、対応するディスプレイ２１，２２に表示するようにしてあるので、前述の特許文献３のように、初期設定で画像記憶手段に画像を設定する必要や、別の画像を表示したい場合に、再度初期設定により、画像記憶手段に記憶させなおす必要がない。
【００３１】
実施の形態２．
以下、この発明の実施の形態２を、図３に基づいて説明する。図３は画像表示システムのシステム構成の他の事例をブロック図化して示す図で、前述の図１と同一または相当分には同一符号を付してある。また、この発明の実施の形態２の説明は、前述の発明の実施の形態１と異なる点を主体的に説明し、その他の説明は割愛する。
【００３２】
この発明の実施の形態２は、図３に示すように、前述の入力手段２１１，２２１としてマウスを使用するようにしたものであり、前述のこの発明の実施の形態１におけるタッチパネル２１１，２２１の場合と同様に、前記入力手段であるマウス２１１はディスプレイ２１に対応し、前記入力手段であるマウス２２１はディスプレイ２２に対応している。
【００３３】
また、入力手段２１１，２２１をマウスとするので、前記入力手段接続インターフェイス１２１Ｍ，１２２Ｍは、前述のこの発明の実施の形態１におけるタッチパネル接続インターフェイス１２１，１２２に代え、マウス接続インターフェイスとしてある。
【００３４】
この発明の実施の形態２においては、画像表示制御装置１に接続するのは、タッチパネルが備わっていない最も一般的なディスプレイ２１，２２と、前記入力手段であるマウス２１１，２２１である。従って、前述のこの発明の実施の形態１と比較した場合、複数のディスプレイ２１，２２として、タッチパネルが備わっていない最も一般的なディスプレイを使用することができる。
【００３５】
なお、この発明の実施の形態２における画像表示システムおよび画像表示制御装置１の動作や機能は、前述のこの発明の実施の形態１と同じである。
【００３６】
実施の形態３．
以下、この発明の実施の形態３を、図４に基づいて説明する。図４は画像表示システムのシステム構成の更に他の事例をブロック図化して示す図で、前述の図１と同一または相当分には同一符号を付してある。また、この発明の実施の形態３の説明は、前述の発明の実施の形態１と異なる点を主体的に説明し、その他の説明は割愛する。
【００３７】
この発明の実施の形態３は、図４に示すように、前述の入力手段２１１，２２１としてファンクションキーボードを使用するようにしたものであり、前述のこの発明の実施の形態１におけるタッチパネル２１１，２２１の場合と同様に、前記入力手段であるファンクションキーボード２１１はディスプレイ２１に対応し、前記入力手段であるファンクションキーボード２２１はディスプレイ２２に対応している。
【００３８】
また、入力手段２１１，２２１をファンクションキーボードとするので、前記入力手段接続インターフェイス１２１，１２２は、前述のこの発明の実施の形態１におけるタッチパネル接続インターフェイスに代え、ファンクションキーボード接続インターフェイスとしてある。
【００３９】
この発明の実施の形態３においては、画像表示制御装置１に接続するのは、タッチパネルが備わっていない最も一般的なディスプレイ２１，２２と、前記入力手段であるファンクションキーボード２１１，２２１である。従って、前述のこの発明の実施の形態１と比較した場合、複数のディスプレイ２１，２２として、タッチパネルが備わっていない最も一般的なディスプレイを使用することができる。
【００４０】
なお、この発明の実施の形態３における画像表示システムおよび画像表示制御装置１の動作や機能は、前述のこの発明の実施の形態１と同じである。
【００４１】
実施の形態４．
以下、この発明の実施の形態４を、図５および図６に基づいて説明する。図５は画像表示システムのシステム構成の更に他の事例をブロック図化して示す図、図６図は図５の動作説明をするための動作フロ−の一例を示す図であり、前述の図１および図２と同一または相当分には同一符号を付してある。また、この発明の実施の形態４の説明は、前述の発明の実施の形態１〜３と異なる点を主体的に説明し、その他の説明は割愛する。
【００４２】
前述のこの発明の実施の形態１〜３では、入力情報処理部が複数ある例を示したが、本実施の形態では、入力情報処理部を１つで済ます例を示す。
【００４３】
即ち、前述の実施の形態１〜３（図１、図３および図４）においては、入力情報処理部が１６１，１６２と複数個あるのに対し、この発明の実施の形態４では、図５に示すように、複数個の入力情報受信部１４１，１４２に対して１個の入力情報処理部１６としてある。１個の入力情報処理部１６とすることができるように、前記入力情報受信部１４１，１４２で入力信号Ｓｉ１，Ｓｉ２に対してディスプレイＩＤを付加し、前記入力情報処理部１６は前記入力情報受信部１４１，１４２からの情報を識別して処理する機能を有しており、当該機能により入力情報処理部９６は唯一とすることができる。
【００４４】
また、唯一の前記入力情報処理部１６への入力を一本化するため、前記複数個の入力情報受信部１４１，１４２の出力は、一旦、入力情報受け渡しキュー１８に格納し、唯一の前記入力情報処理部１６は、前記入力情報受け渡しキュー１８から逐次データを取り出し処理を行う。
【００４５】
次に図５の画像表示システムおよび画像表示制御装置の動作を、各ディスプレイ２１，２２がタッチパネル付きのディスプレイの場合について、図６によって説明する。
【００４６】
画像表示制御装置１立ち上げ時（ステップＳＴ１）、ディスプレイ接続インターフェイス１１１，１１２とタッチパネル接続インターフェイス１２１，１２２のポート番号の若い方に接続されたタッチパネル付きディスプレイから順にディスプレイＩＤを割り当て（ステップＳＴ２）、そのディスプレイＩＤにより、画像表示制御装置１は複数台のタッチパネル付きのディスプレイ２１，２２を識別する。画像表示制御装置１が立ち上がると、タッチパネル付きのディスプレイ２１，２２には初期画面を表示し（ステップＳＴ３）、入力待ち状態となる（ステップＳＴ４）。
【００４７】
タッチパネル（図１の２１１，２２１参照）からの入力があると、その入力信号Ｓｉ１，Ｓｉ２は入力情報受信部１４１，１４２で受信され（ステップＳＴ５）、入力情報受信部１４１，１４２では例えば座標情報などに変換して、前記ディスプレイＩＤを付加した情報を入力情報受け渡しキュー１８に格納する（ステップＳＴ６）。
【００４８】
次いで、入力情報処理部１６では、入力情報受け渡しキュー１８に格納されたデータを逐次取り出し、ディスプレイＩＤにより、各タッチパネル（図１の２１１，２２１参照）の何れのタッチパネルからの入力かを識別し、ディスプレイＩＤに対応した画像データ記憶部１５１，１５２に記憶している画面表示情報と、入力情報受信部１４１，１４２より伝送された入力情報とを照合し、タッチパネルから入力された情報を特定する。特定した入力情報を基に、画像データ群１７から画像データを選択し、ディスプレイＩＤに対応した画像データ記憶部１５１，１５２を書き換える（ステップＳＴ７）。
【００４９】
画面表示処理部１３１，１３２は、常に、画像データ記憶部１５１，１５２に現在記憶されているデータを対応するタッチパネル付きのディスプレイ２１，２２に表示する。こうすることにより、ディスプレイ台数が複数台あっても、入力情報処理部１６の数を増やす必要がなくなる。
【００５０】
換言すれば、入力情報処理部１６が、入力手段接続インターフェイス１２１，１２２を介して入力された入力情報から対応ディスプレイを識別するディスプレイ識別機能を有し、このディスプレイ識別機能により、入力手段から入力手段接続インターフェイス１２１，１２２を介して入力された入力情報に応じて入力情報処理部１６によって識別されたディスプレイの対応画像デ−タ記憶部１５１，１５２の保存画像デ−タが書き換えられるので、ディスプレイ台数が複数台あっても、入力情報処理部１６の数を増やす必要がなくなる。
【００５１】
また、入力情報受信部１４１，１４２は複数個設け、その受信情報は入力情報受け渡しキュー１８を介して入力情報処理部１６に送信する仕組みとしているので、複数のディスプレイで同時に操作を行った場合にも対応可能である。
【００５２】
実施の形態５．
以下、この発明の実施の形態５を、図７に基づいて説明する。図７は画像表示システムのシステム構成の更に他の事例をブロック図化して示す図で、前述の図１〜図６と同一または相当分には同一符号を付してある。また、この発明の実施の形態５の説明は、前述の発明の実施の形態１〜４と異なる点を主体的に説明し、その他の説明は割愛する。
【００５３】
図７において、複数個（図７では２個の場合を例示）のディスプレイ接続インターフェイス１１１，１１２、および複数個（図７では２個の場合を例示）の入力手段接続インターフェイス１２１，１２２は、図５および図６の場合と同様に、それぞれポート番号が割り当てられており、割り当てられポート番号が互いに等しいディスプレイ接続インターフェイス１１１と入力手段接続インターフェイス１２１とが対応し、同様に、割り当てられポート番号がディスプレイ接続インターフェイス１１１と入力手段接続インターフェイス１２１とは異なるが互いに等しいディスプレイ接続インターフェイス１１２と入力手段接続インターフェイス１２２とが対応し、図５および図６の場合と同様に、図１〜図４の場合と同様にして１台の画像表示制御装置１で複数台の汎用ディスプレイ２１，２２を独立に表示制御する。
【００５４】
更に、この実施の形態５においては、入力情報処理部１６の出力を受けバス出力インターフェイス１９１およびバスＢを介して被操作機器等の外部機器と通信を行う操作信号出力部１９が設けられている。なお、図７に例示の実施の形態５における画像表示制御装置１は、前記操作信号出力部１９およびバス出力インターフェイス１９１が追加となっている以外は、図５および図６に例示の実施の形態４における画像表示制御装置１と同じである。
【００５５】
前記操作信号出力部１９は、前記入力手段２１１，２２１（図１、図３および図４を参照）による入力操作により前記入力手段接続インターフェイス１２１，１２２に入力された前記入力信号Ｓｉ１，Ｓｉ２に基づき、前記入力情報受信部１４１，１４２、および前記入力情報受け渡しキュー１８を介した前記入力情報処理部１６からの入力により、前記入力手段２１１，２２１による前記入力操作に応じた外部機器操作信号Ｓｏ、例えば「主給水ポンプ系統のポンプＰ１起動」等、を生成し、当該外部機器操作信号Ｓｏは前記バス出力インターフェイス１９１を介して前記バスＢに出力され、当該外部機器操作信号Ｓｏにより対応外部機器は前記入力操作に応じた操作が行われる。
【００５６】
前記操作信号出力部１９では、前述のディスプレイＩＤにより、前記複数個のディスプレイ２１，２２のうちのどのディスプレイから行った操作かを特定し、前記外部機器操作信号Ｓｏを出力するとき、どのディスプレイで行った操作かを示す情報を付加することにより、前記バスＢを介して操作信号を受信する外部機器の受信装置側で操作信号を取捨選択することが可能となり、各種外部機器（例えば、前記主給水ポンプ系統の各ポンプ、前記冷却水系統の各バルブ、等）では必要な操作信号のみを受信することが可能となる。
【図面の簡単な説明】
【００５７】
【図１】この発明の実施の形態１を示す図で、画像表示システムのシステム構成の一例をブロック図化して示す図である。
【図２】この発明の実施の形態１を示す図で、図１の動作説明をするための動作フロ−の一例を示す図である。
【図３】この発明の実施の形態２を示す図で、画像表示システムのシステム構成の他の事例をブロック図化して示す図である。
【図４】この発明の実施の形態３を示す図で、画像表示システムのシステム構成の他の事例をブロック図化して示す図である。
【図５】この発明の実施の形態４を示す図で、画像表示システムのシステム構成の他の事例をブロック図化して示す図である。
【図６】この発明の実施の形態４を示す図で、図５の動作説明をするための動作フロ−の一例を示す図である。
【図７】この発明の実施の形態５を示す図で、画像表示システムのシステム構成の他の事例をブロック図化して示す図である。
【符号の説明】
【００５８】
１    画像表示制御装置、
１１１，１１２    ディスプレイ接続インターフェイス、
１２１，１２２    入力手段接続インターフェイス、
１３１，１３２    画面表示処理部、
１４１，１４２    入力情報受信部、
１５１，１５２    画像データ記憶部、
１６，１６１，１６２    入力情報処理部、
１７    画像データ群、
１８    入力情報受け渡しキュー、
１９    操作信号出力部、
１９１    バス出力インターフェイス、
２１，２２    ディスプレイ、
２１１，２２１    入力手段（タッチパネル、マウス、ファンクションキーボード）、
Ｓｇ１，Ｓｇ２    画像信号、
Ｓｉ１，Ｓｉ２    入力信号、
Ｓｏ    操作信号。
【図１】
2006154206.tif 000003
【図２】
2006154206.tif 000004
【図３】
2006154206.tif 000005
【図４】
2006154206.tif 000006
【図５】
2006154206.tif 000007
【図６】
2006154206.tif 000008
【図７】
2006154206.tif 000009